(57)【要約】  【課題】  簡単な構成で、耳に密着するとともに耳孔の密閉が防止され、結果として高音質となるインナーイヤーヘッドホン装置を提供する。  【解決手段】  ハウジング１のユニット保持部１ａは、耳殻の凹部に対応し、いわゆる卵形或いはティアドロップ形（涙形）として、使用者の頭部後方側に膨らみ部１ｂを有する形状となっている。さらに、膨らみ部１ｂの先端部に、例えば略半円形状の切り欠き部５を設けている。これは、ユニット保持部１ａと耳孔で囲まれた空間（耳孔内部）の空気を外部へ抜く空気抜き部の働きをするものである。この構成により、インナーイヤーヘッドホン装置Ｈを耳に装着した際に、ユニット保持部１ａが耳殻の凹部に密着しても、耳孔が密閉されることはなく、内部の空気が切り欠き部５を通って外部へと抜けるので、スピーカユニット２の振動板２ａへ不要な圧力が掛かるのを防止することができる。【選択図】      図１
2006222492.tif 000002
【特許請求の範囲】
【請求項１】
スピーカユニットを保持するユニット保持部と、該ユニット保持部より延びて前記スピーカユニットからの接続コードを保持するコード保持部とを備えたインナーイヤーヘッドホン装置であって、
前記ユニット保持部は耳殻の凹部に対応して膨らみ部を有する形状であり、この形状により該ユニット保持部が前記耳殻に係止されるようにしてなるインナーイヤーヘッドホン装置において、
前記ユニット保持部に、耳孔内部の空気を外部へ抜く空気抜き部を設けたことを特徴とするインナーイヤーヘッドホン装置。
【請求項２】
前記空気抜き部は、前記膨らみ部に設けた切り欠き部であることを特徴とする請求項１に記載のインナーイヤーヘッドホン装置。
【請求項３】
前記空気抜き部は、前記膨らみ部に設けた小孔であることを特徴とする請求項１に記載のインナーイヤーヘッドホン装置。
【請求項４】
スピーカユニットを保持するユニット保持部と、該ユニット保持部より延びて前記スピーカユニットからの接続コードを保持するコード保持部とを備えたインナーイヤーヘッドホン装置において、
前記ユニット保持部の外周に嵌合するリングを設け、該リングは耳殻の凹部に対応して膨らみ部を有する形状であり、この形状により前記ユニット保持部が前記耳殻に係止されるようにしてなるインナーイヤーヘッドホン装置であって、
前記リングに、耳孔内部の空気を外部へ抜く空気抜き部を設けたことを特徴とするインナーイヤーヘッドホン装置。
【請求項５】
前記空気抜き部は、前記膨らみ部に設けた切り欠き部であることを特徴とする請求項４に記載のインナーイヤーヘッドホン装置。
【請求項６】
前記空気抜き部は、前記膨らみ部に設けた小孔であることを特徴とする請求項４に記載のインナーイヤーヘッドホン装置。
【発明の詳細な説明】
【技術分野】
【０００１】
本発明は、ヘッドホン装置に関するものであり、特に、インナー型であるインナーイヤーヘッドホン装置に関するものである。
【背景技術】
【０００２】
図４は、従来のインナーイヤーヘッドホン装置Ｈの概略構成を模式的に示す側面断面図である。同図において、１はハウジングであり、その開口部であるユニット保持部１ａには、スピーカユニット２が嵌合固定されている。また、ユニット保持部１ａより下方に向けてコード保持部１ｂが延在しており、スピーカユニット２から出て外部へと延びている接続コード３を保持している。この接続コード３により、例えば図示しない再生装置からの音声信号が、スピーカユニット２に供給される。なお、２ａはスピーカユニット２の振動板であり、また４は、ユニット保持部１ａの正面側で振動板２ａに対向する位置に設けられたメッシュ状のプロテクタである。
【０００３】
図５は、インナーイヤーヘッドホン装置Ｈを耳Ｅに装着した状態を示す外観図である。同図に示すように、インナーイヤーヘッドホン装置Ｈを耳Ｅに装着する場合には、ユニット保持部１ａが耳殻１０の凹部１０ａに挿入され、耳殻１０に係止されるようになっている。この状態で、接続コード３を介して音声信号が供給されると、上記スピーカユニット２の振動板２ａが耳殻１０中央部の図示しない耳孔に対して音を放射する。これにより、使用者は上記音声信号に応じた音声を聴取することができる。
【０００４】
ところが、インナーイヤーヘッドホン装置を耳に装着して音楽などを聴こうとした場合、ユニット保持部の正面或いは背面形状が従来のように例えば略円形をしていると、係止が不完全となってユニット保持部と耳殻の間に隙間が生じるときがあり、このため音漏れや音質の低下が生じたり、装着が不安定になるという問題があった。
【０００５】
そこで、このような問題を解決するために、上記図５にも示したように、ユニット保持部が耳殻の凹部に対応し、いわゆる卵形或いはティアドロップ形（涙形）として、使用者の頭部後方側に膨らみを有する形状にし、ユニット保持部を耳殻にしっかりと係止させる構成としたものが、例えば特許文献１に開示されている。
【特許文献１】特開平７−１１５６９５号公報
【発明の開示】
【発明が解決しようとする課題】
【０００６】
しかしながら、上記特許文献１に開示されているような構成では、インナーイヤーヘッドホン装置の装着中には、ユニット保持部が耳殻の凹部に密着しているので、耳孔が密閉されて内部の空気が外部へ抜けないため、その空気の圧力によりスピーカユニットの振動板が変形して、異常音が発生してしまうという新たな問題が生じている。
【０００７】
本発明は、このような問題点に鑑み、簡単な構成で、耳に密着するとともに耳孔の密閉が防止され、結果として高音質となるインナーイヤーヘッドホン装置を提供することを目的とする。
【課題を解決するための手段】
【０００８】
上記目的を達成するために、本発明では、スピーカユニットを保持するユニット保持部の膨らみ部に、耳孔内部の空気を外部へ抜く空気抜き部を設けた構成としている。これにより、インナーイヤーヘッドホン装置を耳に装着する時に、ユニット保持部と耳孔とで囲まれた空間に空気を閉じ込めることが無いので、スピーカユニットの振動板の変形を防止することができる。
【発明の効果】
【０００９】
本発明によれば、簡単な構成で、耳に密着するとともに耳孔の密閉が防止され、結果として高音質となるインナーイヤーヘッドホン装置を提供することができる。
【発明を実施するための最良の形態】
【００１０】
以下、本発明の実施の形態について、図面を参照しながら説明する。なお、上記従来例と共通する部分には同一の符号を付して、詳細な説明を適宜省略する。
【実施例１】
【００１１】
図１は、本発明の実施例１に係るインナーイヤーヘッドホン装置Ｈを模式的に示す図であり、同図（ａ）は側面断面図、同図（ｂ）は背面図である。本実施例では、同図に示すように、ハウジング１のユニット保持部１ａは、上記耳殻１０の凹部１０ａに対応し、いわゆる卵形或いはティアドロップ形（涙形）として、使用者の頭部後方側に膨らみ部１ｂを有する形状となっている。さらに、本実施例では、膨らみ部１ｂの先端部に、例えば略半円形状の切り欠き部５を設けている。これは、ユニット保持部１ａと耳孔で囲まれた空間（耳孔内部）の空気を外部へ抜く空気抜き部の働きをするものである。
【００１２】
この構成により、本実施例のインナーイヤーヘッドホン装置Ｈを耳Ｅに装着した際に、ユニット保持部１ａが耳殻１０の凹部１０ａに密着しても、耳孔が密閉されることはなく、内部の空気が切り欠き部５を通って外部へと抜けるので、スピーカユニット２の振動板２ａへ不要な圧力が掛かるのを防止することができる。なお、切り欠き部５を設ける位置は、膨らみ部１ｂの先端部に限定されるものではなく、装置の音質に影響せずに耳孔内部の空気を抜くことができるのであれば、ユニット保持部１ａ上の他の位置に設けても良い。
【実施例２】
【００１３】
図２は、本発明の実施例２に係るインナーイヤーヘッドホン装置Ｈを模式的に示す図であり、同図（ａ）は側面断面図、同図（ｂ）は背面図である。本実施例では、実施例１と同様にして、同図に示すように、ハウジング１のユニット保持部１ａは、上記耳殻１０の凹部１０ａに対応し、いわゆる卵形或いはティアドロップ形（涙形）として、使用者の頭部後方側に膨らみ部１ｂを有する形状となっている。さらに、本実施例では、膨らみ部１ｂの先端部に小孔６を設けている。これは、ユニット保持部１ａと耳孔で囲まれた空間（耳孔内部）の空気を外部へ抜く空気抜き部の働きをするものである。
【００１４】
この構成により、本実施例のインナーイヤーヘッドホン装置Ｈを耳Ｅに装着した際に、ユニット保持部１ａが耳殻１０の凹部１０ａに密着しても、耳孔が密閉されることはなく、内部の空気が小孔６を通って外部へと抜けるので、スピーカユニット２の振動板２ａへ不要な圧力が掛かるのを防止することができる。なお、小孔６を設ける位置は、膨らみ部１ｂの先端部に限定されるものではなく、装置の音質に影響せずに耳孔内部の空気を抜くことができるのであれば、ユニット保持部１ａ上の他の位置に設けても良い。
【実施例３】
【００１５】
図３は、本発明の実施例３に係るインナーイヤーヘッドホン装置Ｈを模式的に示す図であり、同図（ａ）は側面断面図、同図（ｂ）は背面図である。本実施例では、同図に示すように、ハウジング１のユニット保持部１ａは、従来のように正面或いは背面視が略円形をしており、その外周に嵌合するリング７を設けた構成としている。リング７は上記耳殻１０の凹部１０ａに対応し、いわゆる卵形或いはティアドロップ形（涙形）として、使用者の頭部後方側に膨らみ部７ａを有する形状となっている。また、リング７の材質は例えばシリコンゴム等の弾力性のあるものとなっており、これにより装置が耳Ｅに密着性良く確実に装着される。さらに、本実施例では、膨らみ部７ａの先端部に小孔６を設けている。これは、ユニット保持部１ａと耳孔で囲まれた空間（耳孔内部）の空気を外部へ抜く空気抜き部の働きをするものである。
【００１６】
この構成により、本実施例のインナーイヤーヘッドホン装置Ｈを耳Ｅに装着した際に、リング７が耳殻１０の凹部１０ａに密着しても、耳孔が密閉されることはなく、内部の空気が小孔６を通って外部へと抜けるので、スピーカユニット２の振動板２ａへ不要な圧力が掛かるのを防止することができる。なお、小孔６を設ける位置は、膨らみ部７ａの先端部に限定されるものではなく、装置の音質に影響せずに耳孔内部の空気を抜くことができるのであれば、リング７上の他の位置若しくはユニット保持部１ａ上に設けても良い。また、小孔６を設ける代わりに、上記実施例１で示したような切り欠き部５を設ける構成としても良い。
【図面の簡単な説明】
【００１７】
【図１】本発明の実施例１に係るインナーイヤーヘッドホン装置を模式的に示す図。
【図２】本発明の実施例２に係るインナーイヤーヘッドホン装置を模式的に示す図。
【図３】本発明の実施例３に係るインナーイヤーヘッドホン装置を模式的に示す図。
【図４】従来のインナーイヤーヘッドホン装置の概略構成を模式的に示す側面断面図。
【図５】インナーイヤーヘッドホン装置を耳に装着した状態を示す外観図。
【符号の説明】
【００１８】
１    ハウジング
１ａ    ユニット保持部
１ｂ    コード保持部
２    スピーカユニット
２ａ    振動板
３    接続コード
４    プロテクタ
５    切り欠き部
６    小孔
７    リング
７ａ    膨らみ部
１０    耳殻
１０ａ    凹部
Ｈ    インナーイヤーヘッドホン装置
Ｅ    耳
【図１】
2006222492.tif 000003
【図２】
2006222492.tif 000004
【図３】
2006222492.tif 000005
【図４】
2006222492.tif 000006
【図５】
2006222492.tif 000007